(57)【要約】      （修正有）【課題】光源として発光ダイオードを用いた場合に適正な配光パターンを形成して必要な光学性能を確保する。【解決手段】第１の搭載面２２ａと第２の搭載面２３ａを有するベース部１９を備え、第１の搭載面２２ａが第２の搭載面２３ａに対して左右方向に傾斜して位置し、第１の発光ダイオード１５からの光の出射方向が水平線を基準として上側にされ第２の発光ダイオード１６からの光の出射方向が水平線を基準として下側にされ、ベース部１９には第１の搭載部２２と第２の搭載部２３が設けられ、第１の搭載部２２と第２の搭載部２３の一部同士が重複する重複領域が形成され、第１の搭載面２２ａの法線を含む前後軸に平行な面を第１の仮想面とし、第２の搭載面２３ａの法線を含み前後軸に平行な面を第２の仮想面としたときに、重複領域が第１の仮想面又は第２の仮想面の少なくとも一方と交わらないようにした。【選択図】図４
2016015218.tif 000002
【特許請求の範囲】
【請求項１】
前後に離隔して位置された第１の搭載面と第２の搭載面を有するベース部と、
前記第１の搭載面に搭載された第１の基板と、
前記第２の搭載面に搭載された第２の基板と、
前記第１の基板に配置され第１の光源として機能する第１の発光ダイオードと、
前記第２の基板に配置され第２の光源として機能する第２の発光ダイオードと、
前記第１の発光ダイオードから出射される光の一部を遮蔽するシェードとを備え、
前記第１の発光ダイオードから出射される光と前記第２の発光ダイオードから出射される光とがそれぞれリフレクターで反射され、
前記第１の搭載面が前記第２の搭載面に対して左右方向において傾斜して位置され前記第１の発光ダイオードからの光の出射方向が水平線を基準として上側にされ前記第２の発光ダイオードからの光の出射方向が水平線を基準として下側にされ、
前記ベース部には前記第１の搭載面を有する第１の搭載部と前記第２の搭載面を有する第２の搭載部とが設けられ、
前方から視認した状態において前記第１の搭載部と前記第２の搭載部の少なくとも一部同士が重複する重複領域が形成され、
前記第１の発光ダイオードの中心を通る前記第１の搭載面の法線を含み前後方向に延びる前後軸に平行な面を第１の仮想面とし、前記第２の発光ダイオードの中心を通る前記第２の搭載面の法線を含み前記前後軸に平行な面を第２の仮想面としたときに、前記重複領域が前記第１の仮想面又は前記第２の仮想面の少なくとも一方と交わらないようにされた
光源ユニット。
【請求項２】
前記第１の発光ダイオードがロービーム用の光源として用いられ、
前記第２の発光ダイオードがハイビーム用の光源として用いられた
請求項１に記載の光源ユニット。
【請求項３】
前記第１の搭載面の前記第２の搭載面に対する傾斜角度が３０°乃至６０°にされた
請求項１又は請求項２に記載の光源ユニット。
【請求項４】
前記ベース部が放熱性を有する金属材料によって形成された
請求項１、請求項２又は請求項３に記載の光源ユニット。
【請求項５】
入射された光を反射して平行光に生成するリフレクターと前記リフレクターで反射される光を出射する光源ユニットとを備えた車輌用灯具であって、
前記光源ユニットは、
前後に離隔して位置された第１の搭載面と第２の搭載面を有するベース部と、
前記第１の搭載面に搭載された第１の基板と、
前記第２の搭載面に搭載された第２の基板と、
前記第１の基板に配置されロービーム用の第１の光源として機能する第１の発光ダイオードと、
前記第２の基板に配置されハイビーム用の第２の光源として機能する第２の発光ダイオードと、
前記第１の発光ダイオードから出射される光の一部を遮蔽するシェードとを備え、
前記第１の発光ダイオードから出射される光と前記第２の発光ダイオードから出射される光とがそれぞれ前記リフレクターで反射され、
前記第１の搭載面が前記第２の搭載面に対して左右方向において傾斜して位置され前記第１の発光ダイオードからの光の出射方向が水平線を基準として上側にされ前記第２の発光ダイオードからの光の出射方向が水平線を基準として下側にされ、
前記ベース部には前記第１の搭載面を有する第１の搭載部と前記第２の搭載面を有する第２の搭載部とが設けられ、
前方から視認した状態において前記第１の搭載部と前記第２の搭載部の少なくとも一部同士が重複する重複領域が形成され、
前記第１の発光ダイオードの中心を通る前記第１の搭載面の法線を含み前後方向に延びる前後軸に平行な面を第１の仮想面とし、前記第２の発光ダイオードの中心を通る前記第２の搭載面の法線を含み前記前後軸に平行な面を第２の仮想面としたときに、前記重複領域が前記第１の仮想面又は前記第２の仮想面の少なくとも一方と交わらないようにされた
車輌用灯具。
【発明の詳細な説明】
【技術分野】
【０００１】
本発明は、第１の発光ダイオードと第２の発光ダイオードを有し第１の発光ダイオードと第２の発光ダイオードから出射された光がそれぞれリフレクターで反射されて照射される光源ユニット及び車輌用灯具についての技術分野に関する。
【先行技術文献】
【特許文献】
【０００２】
【特許文献１】特開２０１３−２２９３３１号公報
【背景技術】
【０００３】
車輌用灯具、例えば、車輌用前照灯には、カバーとランプハウジングによって構成された灯具外筐の内部に光を反射するリフレクターと光源を有する光源ユニットとが配置され、光源ユニットとしてハロゲンランプやＬＥＤ（Light Emitting Diode）ランプが用いられたものがある（例えば、特許文献１参照）。
【０００４】
ハロゲンランプは白熱ランプに比し輝度が高く寿命も長いという長所がある反面、フィラメントが高温になるためカバーも高温になってしまう等の欠点がある。
【０００５】
一方、ＬＥＤランプは寿命が長く発光ダイオードの発熱量が少ない反面、光量が小さい等の欠点がある。
【０００６】
特許文献１に記載された車輌用灯具にあっては、光源ユニットとしてＬＥＤランプが用いられ、複数のＬＥＤ（発光ダイオード）が支持フレームの上面や側面に取り付けられて配置されている。
【発明の概要】
【発明が解決しようとする課題】
【０００７】
ところで、特許文献１に記載された車輌用灯具に用いられた光源ユニットにあっては、複数のＬＥＤが支持フレームの上面や側面に配置されている簡素な構成にされており、所望の配光パターンを確保するための光の照射方向や照射範囲を考慮した構成にはされておらず、必要とされる適正な配光パターンを確保する車輌用灯具には不向きである。
【０００８】
一方、近年、技術の進歩によりＬＥＤは光量が増加し安価に入手可能となってきたため、ハロゲンランプに代えてＬＥＤランプが普及されてきた。
【０００９】
しかしながら、例えば、車輌用灯具において用いられているハイビームとロービームの切換が可能なハロゲンランプをＬＥＤランプに変更しようとする場合に、ハイビーム用のフィラメントとロービーム用のフィラメントの位置に単にＬＥＤをそれぞれ配置しても、各光源の特性等の相違によりハロゲンランプと同等の配光パターン等の光学性能を確保することが困難である。
【００１０】
そこで、本発明光源ユニット及び車輌用灯具は、上記した問題点を克服し、光源として発光ダイオードを用いた場合において適正な配光パターンを形成して必要な光学性能を確保することを目的とする。
【課題を解決するための手段】
【００１１】
第１に、本発明に係る光源ユニットは、前後に離隔して位置された第１の搭載面と第２の搭載面を有するベース部と、前記第１の搭載面に搭載された第１の基板と、前記第２の搭載面に搭載された第２の基板と、前記第１の基板に配置され第１の光源として機能する第１の発光ダイオードと、前記第２の基板に配置され第２の光源として機能する第２の発光ダイオードと、前記第１の発光ダイオードから出射される光の一部を遮蔽するシェードとを備え、前記第１の発光ダイオードから出射される光と前記第２の発光ダイオードから出射される光とがそれぞれリフレクターで反射され、前記第１の搭載面が前記第２の搭載面に対して左右方向において傾斜して位置され前記第１の発光ダイオードからの光の出射方向が水平線を基準として上側にされ前記第２の発光ダイオードからの光の出射方向が水平線を基準として下側にされ、前記ベース部には前記第１の搭載面を有する第１の搭載部と前記第２の搭載面を有する第２の搭載部とが設けられ、前方から視認した状態において前記第１の搭載部と前記第２の搭載部の少なくとも一部同士が重複する重複領域が形成され、前記第１の発光ダイオードの中心を通る前記第１の搭載面の法線を含み前後方向に延びる前後軸に平行な面を第１の仮想面とし、前記第２の発光ダイオードの中心を通る前記第２の搭載面の法線を含み前記前後軸に平行な面を第２の仮想面としたときに、前記重複領域が前記第１の仮想面又は前記第２の仮想面の少なくとも一方と交わらないようにされたものである。
【００１２】
これにより、光の出射方向が水平線を基準として上側にされた第１の発光ダイオードは光の出射方向が水平線を基準として下側にされた第２の発光ダイオードに対して左右方向において傾斜して位置される。
【００１３】
第２に、上記した本発明に係る光源ユニットにおいては、前記第１の発光ダイオードがロービーム用の光源として用いられ、前記第２の発光ダイオードがハイビーム用の光源として用いられることが望ましい。
【００１４】
これにより、ロービーム用の光源とハイビーム用の光源が左右方向において傾斜して位置されると共にロービーム用の光源から出射される光の一部がシェードによって遮蔽される。
【００１５】
第３に、上記した本発明に係る光源ユニットにおいては、前記第１の搭載面の前記第２の搭載面に対する傾斜角度が３０°乃至６０°にされることが望ましい。
【００１６】
これにより、第１の発光ダイオードからリフレクターに対して適正な向きで光が出射される。
【００１７】
第４に、上記した本発明に係る光源ユニットにおいては、前記ベース部が放熱性を有する金属材料によって形成されることが望ましい。
【００１８】
これにより、第１の発光ダイオードと第２の発光ダイオードの駆動時に発生する熱がベース部に伝達される。
【００１９】
本発明に係る車輌用灯具は、入射された光を反射して平行光に生成するリフレクターと前記リフレクターで反射される光を出射する光源ユニットとを備えた車輌用灯具であって、前記光源ユニットは、前後に離隔して位置された第１の搭載面と第２の搭載面を有するベース部と、前記第１の搭載面に搭載された第１の基板と、前記第２の搭載面に搭載された第２の基板と、前記第１の基板に配置されロービーム用の第１の光源として機能する第１の発光ダイオードと、前記第２の基板に配置されハイビーム用の第２の光源として機能する第２の発光ダイオードと、前記第１の発光ダイオードから出射される光の一部を遮蔽するシェードとを備え、前記第１の発光ダイオードから出射される光と前記第２の発光ダイオードから出射される光とがそれぞれ前記リフレクターで反射され、前記第１の搭載面が前記第２の搭載面に対して左右方向において傾斜して位置され前記第１の発光ダイオードからの光の出射方向が水平線を基準として上側にされ前記第２の発光ダイオードからの光の出射方向が水平線を基準として下側にされ、前記ベース部には前記第１の搭載面を有する第１の搭載部と前記第２の搭載面を有する第２の搭載部とが設けられ、前方から視認した状態において前記第１の搭載部と前記第２の搭載部の少なくとも一部同士が重複する重複領域が形成され、前記第１の発光ダイオードの中心を通る前記第１の搭載面の法線を含み前後方向に延びる前後軸に平行な面を第１の仮想面とし、前記第２の発光ダイオードの中心を通る前記第２の搭載面の法線を含み前記前後軸に平行な面を第２の仮想面としたときに、前記重複領域が前記第１の仮想面又は前記第２の仮想面の少なくとも一方と交わらないようにされたものである。
【００２０】
これにより、光の出射方向が水平線を基準として上側にされた第１の発光ダイオードは光の出射方向が水平線を基準として下側にされた第２の発光ダイオードに対して左右方向において傾斜して位置される。
【発明の効果】
【００２１】
本発明によれば、光の出射方向が水平線を基準として上側にされた第１の発光ダイオードは、光の出射方向が水平線を基準として下側にされた第２の発光ダイオードに対して左右方向において傾斜して位置され、第１の発光ダイオードと第２の発光ダイオードを同一の前後軸に近付けることが可能であるため、適正な配光パターンを形成して必要な光学性能を確保することができる。
【図面の簡単な説明】
【００２２】
【図１】図２乃至図９と共に本発明の実施の形態を示すものであり、本図は、車輌用灯具の概略縦断面図である。
【図２】光源ユニットの斜視図である。
【図３】光源ユニットの分解斜視図である。
【図４】図２とは異なる方向から見た状態で示す光源ユニットの斜視図である。
【図５】第１の発光ダイオードと第２の発光ダイオードの位置関係を示す概念図である。
【図６】重複領域と第１の仮想面と第２の仮想面の位置関係を示す概念図である。
【図７】第１の発光ダイオードと第２の発光ダイオードに対するリフレクターの各領域を示す概念図である。
【図８】図９と共にシュミレーションを行った結果を示すものであり、本図は、第１の搭載面の傾斜角度が０°と１５°の場合について従来のハロゲンランプの配光パターンと共に示す図表である。
【図９】第１の搭載面の傾斜角度が３０°と４５°と６０°の場合について示す図表である。
【発明を実施するための形態】
【００２３】
以下に、本発明光源ユニット及び車輌用灯具を実施するための形態について添付図面を参照して説明する。
【００２４】
以下に示した実施の形態は、本発明車輌用灯具をハイビームとロービームの切換が可能な車輌用前照灯に適用したものである。尚、本発明の適用範囲は車輌用前照灯に限られることはなく、異なる種類のビームの切換が可能な各種の車輌用灯具に広く適用することができる。
【００２５】
車輌用灯具１は、それぞれ車体の前端部における左右両端部に取り付けられて配置されている。
【００２６】
車輌用灯具１は、図１に示すように、前方に開口された凹部を有するランプハウジング２とランプハウジング２の開口を閉塞するカバー３とを備えている。ランプハウジング２とカバー３によって灯具外筐４が構成され、灯具外筐４の内部空間が灯室５として形成されている。
【００２７】
ランプハウジング２の後端部には前後に貫通された取付孔２ａが形成されている。
【００２８】
灯室５にはリフレクター６が配置されている。リフレクター６は内面が回転放物面を基準として形成された反射面６ａとされ、反射面６ａで反射された光を前方へ向けて平行光として照射する所謂パラボラタイプである。リフレクター６の後端部には前後に貫通されたランプ取付孔６ｂが形成されている。
【００２９】
リフレクター６は光軸調整を行うための図示しないエイミング機構やレベリング機構を介してランプハウジング２に上下方向及び左右方向へ傾動自在に支持されている。
【００３０】
灯室５にはリフレクター６の前側にエクステンション７が配置されている。エクステンション７によって灯室５に配置される構造の一部が前方から遮蔽される。
【００３１】
ランプハウジング２の取付孔２ａにはバックカバー８が取り付けられている。バックカバー８は、例えば、樹脂材料や硬質のゴム材料によって形成され、環状に形成された被取付部８ａと、被取付部８ａの内側において環状に形成された保持部８ｂと、被取付部８ａと保持部８ｂを連結する連結部８ｃとを有している。
【００３２】
バックカバー８は取付孔２ａを覆う状態で被取付部８ａがランプハウジング２の後端部に取り付けられる。
【００３３】
リフレクター６のランプ取付孔６ｂには光源ユニット９が取り付けられている。光源ユニット９は一部にバックカバー８の保持部８ｂが外嵌状に取り付けられ、バックカバー８に保持された状態でリフレクター６に取り付けられている。
【００３４】
光源ユニット９は、図２乃至図４に示すように、ベースボデイ１０と保護カバー１１とヒートシンク１２と第１の基板１３と第２の基板１４と第１の発光ダイオード１５、１５、１５と第２の発光ダイオード１６、１６、１６を有している。
【００３５】
ベースボデイ１０は放熱性を有する金属材料によって形成され、前後方向を向く略板状に形成された被取付板部１７と被取付板部１７から後方へ突出された突出部１８と被取付板部１７から前方へ突出されたベース部１９とを有している。
【００３６】
被取付板部１７は外形が略円形状に形成された本体部１７ａと本体部１７ａの外周縁から外方に突出された係合片部１７ｂ、１７ｂ、１７ｂとから成る。係合片部１７ｂ、１７ｂ、１７ｂは周方向に離隔して設けられている。
【００３７】
突出部１８は外形が被取付板部１７より小さくされている。
【００３８】
ベース部１９は前後に延びる基板搭載部２０と基板搭載部２０の前端部から略上方に突出された第１のシェード２１とを有している。
【００３９】
基板搭載部２０は略前半部が第１の搭載部２２とされ略後半部が第２の搭載部２３とされている。第１の搭載部２２には斜め上方を向く第１の搭載面２２ａが形成され、第２の搭載部２３には下方を向く第２の搭載面２３ａが形成されている。第１の搭載面２２ａと第２の搭載面２３ａは前後に離隔して位置されている。
【００４０】
第１の搭載面２２ａは水平線Ｈに対して左右方向において、例えば、５０°（図５に示すθ１）傾斜され、第２の搭載面２３ａは、例えば、真下を向く状態に形成されている（図５参照）。第１の搭載面２２ａと第２の搭載面２３ａは前後方向に延びる前後軸Ｓ、即ち、ベース部１９を前後に貫く軸を基準とした軸回り方向において異なる位置に形成されている。尚、第１の搭載面２２ａは水平線Ｈに対して左右方向において３０°乃至７０°の範囲で傾斜されていてもよく、第２の搭載面２３ａは水平線Ｈに対して左右方向において２０°の範囲まで傾斜されていてもよい。このように、第１の搭載面２２ａと第２の搭載面２３ａはそれぞれベース部１９における上側と下側に位置されており、第１の搭載面２２ａは第２の搭載面２３ａに対して左右方向において傾斜されている。
【００４１】
第１の搭載部２２と第２の搭載部２３は前方から視認した状態において一部同士が重複され、この重複した領域が重複領域Ｗとして形成されている（図５に縦線で示す領域）。このとき第１の発光ダイオード１５の中心を通る第１の搭載面２２ａの法線Ｐを含み前後軸Ｓに平行な面を第１の仮想面Ｍ１とし、第２の発光ダイオード１６の中心を通る第２の搭載面２３ａの法線Ｑを含み前後軸Ｓに平行な面を第２の仮想面Ｍ２としたときに、重複領域Ｗは第１の仮想面Ｍ１又は第２の仮想面Ｍ２の少なくとも一方と交わらないようにされている（図５及び図６参照）。尚、図５及び図６は、重複領域Ｗが第１の仮想面Ｍ１と第２の仮想面Ｍ２の何れにも交わらない状態を示している。また、図５には、第１の発光ダイオード１５が第２の仮想面Ｍ２上にある状態を示しているが、第１の発光ダイオード１５は第２の仮想面Ｍ２からずれた位置に存在していてもよく、同様に、第２の発光ダイオード１６は第１の仮想面Ｍ２からずれた位置に存在していてもよい。
【００４２】
第１の基板１３は第１の搭載面２２ａにネジ止め等によって取り付けられて搭載され、第２の基板１４は第２の搭載面２３ａにネジ止め等によって取り付けられて搭載されている（図２乃至図４参照）。
【００４３】
第１の発光ダイオード１５、１５、１５は第１の基板１３上に前後に、例えば、等間隔に並んで配置され、例えば、ロービーム用の第１の光源として機能する。第２の発光ダイオード１６、１６、１６は第２の基板１４上に前後に、例えば、等間隔に並んで配置され、例えば、ハイビーム用の第２の光源として機能する。
【００４４】
上記したように、第１の搭載面２２ａと第２の搭載面２３ａは前後に離隔して位置されているため、第１の発光ダイオード１５、１５、１５と第２の発光ダイオード１６、１６、１６も前後に離隔し、第１の発光ダイオード１５、１５、１５が第２の発光ダイオード１６、１６、１６の前側に位置されている。
【００４５】
また、第１の発光ダイオード１５、１５、１５と第２の発光ダイオード１６、１６、１６は、図５に示すように、前後軸Ｓを基準とした軸回り方向において異なる位置に存在し、第１の発光ダイオード１５、１５、１５からの光の出射方向Ｐ１が水平線Ｈを基準として上側にされ第２の発光ダイオード１６、１６、１６からの光の出射方向Ｐ２が水平線Ｈを基準として下側にされている。従って、第１の発光ダイオード１５、１５、１５からの光の出射方向Ｐ１は、例えば、水平線Ｈに対して４０°傾斜された方向にされ、第２の発光ダイオード１６、１６、１６からの光の出射方向Ｐ２は、例えば、真下（水平線Ｈに対して９０°）にされ、第１の発光ダイオード１５、１５、１５からの光の出射方向Ｐ１と第２の発光ダイオード１６、１６、１６からの光の出射方向Ｐ２とは、前後軸Ｓを基準とした軸回り方向において、例えば、１３０°異なる方向（図５に示すθ２）にされている。
【００４６】
保護カバー１１は前端部２４と中間部２５と後端部２６が前側から順に連続して一体に設けられている（図２乃至図４参照）。前端部２４は後方に開口された略椀状に形成されている。中間部２５は前端部２４における側方の一端部と後端部２６における側方の一端部とを連結する略板状に形成されている。後端部２６は下方及び後方に開口された凹状に形成されている。
【００４７】
保護カバー１１には前端部２４と後端部２６の間に上下及び中間部２５が位置しない側の側方に開口された出射用開口１１ａが形成されている。保護カバー１１はベース部１９の一部を外側から覆う状態でベースボデイ１０に取り付けられている。保護カバー１１における出射用開口１１ａの前側開口縁、即ち、前端部２４の上端部における後端部は第２のシェード２７として設けられている。
【００４８】
ヒートシンク１２は軸方向が前後方向にされた円筒状の基部１２ａと基部１２ａの外周面から放射方向に突出された放熱フィン１２ｂ、１２ｂ、・・・とが一体に形成されて成り、放熱フィン１２ｂ、１２ｂ、・・・は前後に延び周方向に離隔して形成されている。ヒートシンク１２は基部１２ａがベースボデイ１０の突出部１８に後側から結合されている。
【００４９】
上記のように構成された光源ユニット９は、被取付板部１７の係合片部１７ｂ、１７ｂ、１７ｂがそれぞれリフレクター６の後端部に設けられた図示しない係合部に係合され、本体部１７ａによってランプ取付孔６ｂが閉塞された状態でリフレクター６の後端部に取り付けられる。
【００５０】
保護カバー１１がベースボデイ１０に取り付けられた状態において、第１の発光ダイオード１５、１５、１５と第２の発光ダイオード１６、１６、１６から出射された光はそれぞれ出射用開口１１ａを通過してリフレクター６に向かう。
【００５１】
リフレクター６は、反射面６ａにおける略上側半分の部分が主に第１の発光ダイオード１５、１５、１５から出射された光を反射する反射領域Ａ（図７に示す梨子地を付した領域）として形成され、反射面６ａにおける略下側半分の部分が主に第２の発光ダイオード１６、１６、１６から出射された光を反射する反射領域Ｂ（図７に示す斜線を付した領域）として形成されている。また、反射領域Ａのうち側方に位置する部分は、第１の発光ダイオード１５、１５、１５から出射された光のうち特に多くの光を反射する反射領域Ａｍ（図７に示す濃い梨子地を付した領域）として形成されている。
【００５２】
第１の発光ダイオード１５、１５、１５から出射された光は主に反射面６ａの反射領域Ａで反射され、カバー３を透過されて前方に照射される。このとき第１の発光ダイオード１５、１５、１５から出射された光は、光源ユニット９のベースボデイ１０に設けられた第１のシェード２１と第２のシェード２７によって一部が遮蔽され、例えば、ロービームの光として前方に照射される。このとき第１のシェード２１は第１の発光ダイオード１５、１５、１５からリフレクター６へ向かう光の一部を遮蔽し、カットオフラインを形成する機能を有する。また、第２のシェード２７は第１の発光ダイオード１５、１５、１５からリフレクター６へ向かわず前方へ出射しようとする光を遮蔽し、幻惑光の発生を防止する機能を有する。
【００５３】
第１の発光ダイオード１５、１５、１５から光が出射されるときには第１の発光ダイオード１５、１５、１５の駆動に伴って熱が発生するが、発生する熱は主に放熱性を有する金属材料によって形成されたベースボデイ１０からヒートシンク１２に伝達され、ヒートシンク１２の放熱フィン１２ｂ、１２ｂ、・・・から放出される。また、同時に、第１の発光ダイオード１５、１５、１５の駆動に伴って発生する熱はベースボデイ１０の各部からも放出される。
【００５４】
一方、第２の発光ダイオード１６、１６、１６から出射された光は主に反射面６ａの反射領域Ｂで反射され、カバー３を透過され、例えば、ハイビームの光として前方に照射される。
【００５５】
第２の発光ダイオード１６、１６、１６から光が出射されるときには第２の発光ダイオード１６、１６、１６の駆動に伴って熱が発生するが、発生する熱は主に放熱性を有する金属材料によって形成されたベースボデイ１０からヒートシンク１２に伝達され、ヒートシンク１２の放熱フィン１２ｂ、１２ｂ、・・・から放出される。また、同時に、第２の発光ダイオード１６、１６、１６の駆動に伴って発生する熱はベースボデイ１０の各部からも放出される。
【００５６】
上記のように、光源ユニット９にあっては、第１の搭載面２２ａと第２の搭載面２３ａを有するベース部１９が放熱性を有する金属材料によって形成されているため、第１の発光ダイオード１５、１５、１５と第２の発光ダイオード１６、１６、１６の駆動時に発生する熱に関する良好な放熱性が確保され、光源ユニット９における放熱性能の向上を図ることができる。
【００５７】
尚、上記には、光源ユニット９にヒートシンク１２が設けられ第１の発光ダイオード１５、１５、１５と第２の発光ダイオード１６、１６、１６の駆動時にヒートシンク１２から熱が放出される例を示したが、例えば、ヒートシンク１２に代えて第１の発光ダイオード１５、１５、１５と第２の発光ダイオード１６、１６、１６の駆動時に発生する熱を放出するための放熱ファンが設けられていてもよい。
【００５８】
また、上記には、第１の光源と第２の光源としてそれぞれ三つの第１の発光ダイオード１５、１５、１５と第２の発光ダイオード１６、１６、１６が設けられた例を示したが、第１の発光ダイオード１５と第２の発光ダイオード１６の数はそれぞれ三つに限られることはなく任意であり、例えば、四つずつの第１の発光ダイオード１５、１５、・・・と第２の発光ダイオード１６、１６、・・・が設けられていてもよい。
【００５９】
さらに、第１の基板１３と第２の基板１４としてはガラスエポキシ基板等のリジッド基板が用いられていてもよく、また、屈曲性の高いフレキシブルプリント基板が用いられていてもよい。第１の基板１３と第２の基板１４としてフレキシブルプリント基板が用いられた場合には、フレキシブルプリント基板はリジッド基板に比して厚みが薄いため、光源ユニット９の小型化及び薄型化を図ることができる。
【００６０】
以下に、第１の搭載面２２ａの傾斜角度と第１の発光ダイオード１５の位置を変更することによって得られる最大光度（ｃｄ）、光束（ｌｍ）及び配光パターンについてシュミレーションを行った結果について説明する（図８及び図９参照）。
【００６１】
尚、図８における最上段に示す配光パターンは、従来のハロゲンランプにおける適正な配光パターンの一例を比較対象として示したものである。
【００６２】
以下のシュミレーションにおいて、「傾斜角度」は水平線Ｈに対する第１の搭載面２２ａの傾斜角度であり、例えば、３０°の場合には、第１の発光ダイオード１５からの光の出射角度が水平線Ｈに対して６０°になる。尚、通常、第２の搭載面２３ａは水平にされるため、第２の搭載面２３ａが水平にされた場合には「傾斜角度」は第２の搭載面２３ａに対する第１の搭載面２２ａの傾斜角度と同じになる。
【００６３】
「Ｆ点」は従来のハロゲンランプにおけるロービーム用のフィラメントから出射される光の焦点であり、Ｆ点の右側に示された横長の四角は、このフィラメントを仮想的に示したものである。従って、シュミレーションにおいては第１の発光ダイオード１５のＦ点に対する位置とフィラメントに対する位置を適宜に変更して最大光度、光束及び配光パターンを得た。
【００６４】
尚、配光パターンにおいて太字の直線は第１のシェード２１と第２のシェード２７による光のカットラインを示しており、カットラインより上側の斜線を付した領域は第１のシェード２１と第２のシェード２７によって遮光された領域である。
【００６５】
また、第１の発光ダイオード１５は三つ又は四つが設けられた場合についてシュミレーションを行った。
【００６６】
シュミレーションにより、第１の発光ダイオード１５がＦ点に近付くに従って最大光度が高くなると言う結果が得られた。
【００６７】
また、シュミレーションの結果、図８に示すように、第１の搭載面２２ａの傾斜角度が０°及び１５°については、最大光度及び光束とも車輌用として使用する場合の十分な値が得られなかった。一方、第１の搭載面２２ａの傾斜角度が３０°乃至６０°については、最大光度及び光束とも車輌用として使用する場合の十分な値が得られ、配光パターンについても従来のハロゲンランプの配光パターンと同様の適正な配光パターンを得ることができた。
【００６８】
このように第１の搭載面２２ａの第２の搭載面２３ａに対する傾斜角度が３０°乃至６０°にされることにより、第１の発光ダイオード１５からリフレクター６に対して適正な向きで光が出射され、所望の光度を確保した上で適正な配光パターンを形成することができる。
【００６９】
以上に記載した通り、光源ユニット９にあっては、第１の搭載面２２ａが第２の搭載面２３ａに対して左右方向において傾斜して位置され第１の発光ダイオード１５からの光の出射方向が水平線Ｈを基準として上側にされ第２の発光ダイオード１６からの光の出射方向が水平線Ｈを基準として下側にされ、第１の搭載部２２と第２の搭載部２３の重複領域Ｗが第１の仮想面Ｍ１又は第２の仮想面Ｍ２の少なくとも一方と交わらないようにされている。
【００７０】
従って、光の出射方向が水平線Ｈを基準として上側にされた第１の発光ダイオード１５は光の出射方向が水平線Ｈを基準として下側にされた第２の発光ダイオード１６に対して左右方向において傾斜して位置され、第１の発光ダイオード１５と第２の発光ダイオード１６を同一の前後軸Ｓに近付けることが可能であるため、光源ユニット９における適正な配光パターンを形成して必要な光学性能を確保することができる。特に、従来のハロゲンランプ用のリフレクターを本発明におけるリフレクター６として用いた場合においても、第１の発光ダイオード１５と第２の発光ダイオード１６を同一の前後軸Ｓに近付けることが可能であるため、配光性能の劣化を抑制することができる。
【００７１】
また、第１の発光ダイオード１５がロービーム用の光源として用いられ、第２の発光ダイオード１６がハイビーム用の光源として用いられることにより、ロービーム用の光源とハイビーム用の光源が左右方向において傾斜して位置されると共にロービーム用の光源から出射される光の一部が第１のシェード２１と第２のシェード２７によって遮蔽され、小型化を確保した上でロービームとハイビームの各配光パターンを適正に形成することができる。
【符号の説明】
【００７２】
１…車輌用灯具、６…リフレクター、１３…第１の基板、１４…第２の基板、１５…第１の発光ダイオード、１６…第２の発光ダイオード、１９…ベース部、２１…第１のシェード、２２…第１の搭載部、２２ａ…第１の搭載面、２３…第２の搭載部、２３ａ…第２の搭載面、２７…第２のシェード
【図１】
2016015218.tif 000003
【図２】
2016015218.tif 000004
【図３】
2016015218.tif 000005
【図４】
2016015218.tif 000006
【図５】
2016015218.tif 000007
【図６】
2016015218.tif 000008
【図７】
2016015218.tif 000009
【図８】
2016015218.tif 000010
【図９】
2016015218.tif 000011